(57)【要約】【課題】  構造が簡単で製造コストを低減することができるとともに、組み付けを容易に行うことができ、しかも、各刃体をロック状態から容易に解除操作することができるナイフを提供する。【解決手段】  柄１１を構成する一対の側板１２間に複数の刃体１９，２０，２１，２２を基端にて支持軸１５により折り畳み収納可能に配設する。各刃体１９〜２２には背金２３及び弾性部材２４をそれぞれ対応配置して、弾性部材２４の弾性力により背金２３を介して刃体１９〜２２を収納位置に保持するとともに、背金２３との係合により刃体１９〜２２を使用位置にロックするように構成する。各背金２３及び各弾性部材２４をそれぞれ同一形状となるように形成する。各背金２３には刃体１９〜２２が使用位置にロックされたとき、両側板１２の端縁から外方に突出して配置されるロック解除用の操作部２９を設ける。【選択図】      図１
2006042918.tif 000002
【特許請求の範囲】
【請求項１】
柄を構成する一対の側板間に複数の刃体を基端にて共通の支持軸により折り畳み収納可能に配設し、各刃体には背金及び弾性部材をそれぞれ対応配置して、弾性部材の弾性力により背金を介して刃体を収納位置に保持するとともに、背金との係合により刃体を使用位置にロックするようにしたナイフにおいて、
前記各背金を同一形状となるように形成し、各背金には刃体が使用位置にロックされたとき、両側板の端縁から外方に突出して配置されるロック解除用の操作部を設けたことを特徴とするナイフ。
【請求項２】
前記各刃体を、各側板とそれに隣接する仕切板との間、及び互いに隣接する一対の仕切板間に配置したことを特徴とする請求項１に記載のナイフ。
【請求項３】
前記背金の操作部と対応して、側板及び仕切板のうちの少なくとも仕切板に凹所を形成したことを特徴とする請求項２に記載のナイフ。
【発明の詳細な説明】
【技術分野】
【０００１】
この発明は、用途の異なる複数の刃体を備えたポケットナイフや狩猟用ナイフ等のナイフに関するものである。なお、ここで、「刃体」とは、切断機能を有する刀身等の機能部品の外、ドライバ、きり、栓抜き等の各種の機能部品を含むものとする。
【背景技術】
【０００２】
従来、この種のナイフとしては、例えば、特許文献１に開示されるような構成のものが提案されている。この従来構成においては、柄を構成する一対の側板間に、用途の異なった複数の刃体が基端にて支持軸により折り畳み収納可能に配設されている。各刃体には背金及び弾性部材がそれぞれ対応配置され、弾性部材の弾性力により背金を介して刃体が収納位置に保持されるとともに、背金との係合により刃体が使用位置にロックされるようになっている。そして、各背金にはロック状態を解除するための操作部が、柄の長さ方向の異なった位置に配置されるように形成されている。これにより、各背金の操作部が柄の長さ方向の一箇所に集中配置されることがなく、ロック解除のための押圧操作がしづらくなるのを防止するようになっている。
【特許文献１】特開平１１−５７２３８号公報
【発明の開示】
【発明が解決しようとする課題】
【０００３】
ところが、この従来のナイフにおいては、複数の背金を長さが異なるように形成する必要があるとともに、弾性部材の長さについても背金の長さに合わせて形成する必要がある。このため、各背金及び各弾性部材として共通部品を使用することができず、部品種類が多くなり、製造コストが高くなるという問題があった。また、長さの異なった各背金及び弾性部材の弾性力を調整しながら、各刃体を順に組み付ける必要があるため、その組み付け作業が面倒であり、この点においても製造コストのアップを招くものであった。
【０００４】
この発明は、このような従来の技術に存在する問題点に着目してなされたものである。その目的は、構造が簡単で製造コストを低減することができるとともに、組み付けを容易に行うことができ、しかも、各刃体をロック状態から容易に解除操作することができるナイフを提供することにある。
【課題を解決するための手段】
【０００５】
上記の目的を達成するために、請求項１に記載の発明は、柄を構成する一対の側板間に複数の刃体を基端にて共通の支持軸により折り畳み収納可能に配設し、各刃体には背金及び弾性部材をそれぞれ対応配置して、弾性部材の弾性力により背金を介して刃体を収納位置に保持するとともに、背金との係合により刃体を使用位置にロックするようにしたナイフにおいて、前記各背金を同一形状となるように形成し、各背金には刃体が使用位置にロックされたとき、両側板の端縁から外方に突出して配置されるロック解除用の操作部を設けたことを特徴とするものである。
【０００６】
請求項２に記載の発明においては、請求項１に記載の発明において、前記各刃体を、各側板とそれに隣接する仕切板との間、及び互いに隣接する一対の仕切板間に配置したことを特徴とする。
【０００７】
請求項３に記載の発明においては、請求項２に記載の発明において、前記背金の操作部と対応して、側板及び仕切板のうちの少なくとも仕切板に凹所を形成したことを特徴とする。
【０００８】
（作用）
この発明においては、各背金には刃体が使用位置にロックされたとき、両側板の端縁から外方に突出して配置されるロック解除用の操作部を設けたことにより、その操作部を他に邪魔されることなく操作できる。このため、各刃体に対応する複数の背金及び弾性部材等の構造や形状を変更する必要がなく、それぞれ共通部品として使用することができる。このため、構造を簡略化することができて、製造コストを低減することができる。また、複数の刃体を同一形状の背金及び弾性部材とともに、その弾性力を調整しながら順に組み付けることができて、その組み付け作業を容易に行うことができる。しかも、刃体をロック状態から解除する場合には、側板の端縁から外方に突出している背金の操作部を押圧操作すればよくて、その解除操作を容易に行うことができる。
【発明の効果】
【０００９】
以上のように、この発明によれば、構造が簡単で製造コストを低減することができるとともに、組み付けを容易に行うことができ、しかも、各刃体をロック状態から容易に解除操作することができる。
【発明を実施するための最良の形態】
【００１０】
以下に、この発明を狩猟用ナイフに具体化した一実施形態を、図面に基づいて説明する。
図１〜図３示すように、ナイフの柄１１は、一対の側板１２と、両側板１２間にスペーサ１３を介して所定間隔おきに配設された複数の仕切板１４とから構成されている。そして、これらの側板１２、スペーサ１３及び仕切板１４は、支持軸１５、支持ピン１６及び複数の結合ピン１７を貫設することにより一体的に結合固定されている。また、各側板１２及び各仕切板１４は同一形状及び同一厚さをなすように形成され、共通部品として使用されている。同様に、各スペーサ１３も同一形状及び同一厚さとなるように形成され、共通部品として使用されている。さらに、図２に鎖線で示すように、両側板１２の外面には、合成樹脂、獣骨等よりなる化粧板１８が取り付けられている。
【００１１】
図１〜図６に示すように、前記各側板１２とそれに隣接する仕切板１４との間、及び互いに隣接する一対の仕切板１４間には、用途の異なった複数の刃体１９，２０，２１，２２が基端にて前記共通の支持軸１５により折り畳み回動可能に配設されている。各刃体１９〜２２と対応するように、各側板１２とそれに隣接する仕切板１４との間、及び互いに隣接する一対の仕切板１４間には、複数の背金２３が中央部にて前記共通の支持ピン１６により回動可能に配設されている。各背金２３と対応するように、各スペーサ１３には板バネよりなる弾性部材２４が基端にて止着され、その先端が各背金２３に接合されている。各背金２３は同一形状及び同一厚さをなすように形成され、共通部品として使用されている。また、各弾性部材２４も同一形状及び同一厚さをなすように形成され、共通部品として使用されている。
【００１２】
前記各刃体１９〜２２の基端の一側部（腹部側）には圧接面２５が形成されるとともに、他側部（背部側）には係止凹部２６が形成されている。それらの圧接面２５及び係止凹部２６と係脱可能に対応するように、各背金２３の端部には係合凸部２７が形成されている。そして、図４〜図６に示すように、各刃体１９〜２２が柄１１内の収納位置に回動されたときには、弾性部材２４の弾性力により背金２３の係合凸部２７が圧接面２５に圧接されて、刃体１９〜２２が収納位置に保持される。また、図１及び図３に示すように、いずれか１つの刃体１９〜２２が柄１１外の使用位置に回動されたときには、弾性部材２４の弾性力により背金２３の係合凸部２７が係止凹部２６に係合されて、刃体１９〜２２が使用位置にロックされるようになっている。
【００１３】
図１、図３〜図６に示すように、前記各背金２３と対応して、各側板１２及び各仕切板１４の上端縁には操作用凹所２８が形成されている。各背金２３の係合凸部２７と反対側の端部には、ロック解除用の操作部２９が形成されている。そして、図４〜図６に示すように、各刃体１９〜２２が収納位置に保持されているときには、それらと対応する背金２３の操作部２９が前記操作用凹所２８よりも内側へ没入した状態に配置されている。これに対して、図１及び図３に示すように、いずれか１つの刃体１９〜２２が使用位置にロックされたときには、それと対応する背金２３の操作部２９のみが前記操作用凹所２８から外方に突出して配置される。よって、この操作部２９を押圧操作することにより、係合凸部２７が係止凹部２６から離脱されて、刃体１９〜２２が使用位置のロック状態から解除されるようになっている。
【００１４】
なお、図３、図５及び図６に示すように、前記複数の刃体１９〜２２のうちで、２つの刃体１９，２１の背部には指掛け用の長孔１９ａ，２１ａが形成されるとともに、１つの刃体２２には指掛け用の突起２２ａが形成されている。そして、これらの長孔１９ａ，２１ａまたは突起２２ａに指掛けて、刃体１９，２１，２２を収納位置から使用位置に回動させるようになっている。また、図４に示すように、刃体２０については、収納位置においてその先端部が柄１１内から外方へ若干突出するように構成されている。そして、この刃体２０の先端部に指掛けて、刃体２０を収納位置から使用位置に回動させるようになっている。
【００１５】
次に、前記のように構成された狩猟用ナイフの作用を説明する。
図１〜図３には、１つの刃体１９が使用位置に回動配置され、弾性部材２４の弾性力のもとで、背金２３の係合凸部２７と刃体１９の係止凹部２６との係合により、この１つの刃体１９が使用位置にロックされた状態が示されている。この状態では、刃体１９と対応する背金２３のみの操作部２９が、側板１２及び仕切板１４の上端縁の操作用凹所２８から外方に突出して配置され、他の刃体２０〜２２と対応する背金２３の操作部２９は操作用凹所２８よりも内側に没入配置されている。そのため、この刃体１９を使用位置から収納位置に回動させる場合には、それと対応する背金２３の操作部２９を、容易に押圧操作することができる。そして、この操作部２９の押圧操作により、係合凸部２７を係止凹部２６から離脱させて、刃体１９〜２２を使用位置のロック状態から解除させることができる。
【００１６】
以上のように、この実施形態においては、各背金２３には刃体１９〜２２が使用位置にロックされたとき、両側板１２の操作用凹所２８から外方に突出して配置されるロック解除用の操作部２９を設けたことにより、その操作部２９を他に邪魔されることなく操作できる。このため、各刃体１９〜２２に対応する複数の背金２３及び弾性部材２４等の構造や形状を変更する必要がなく、それぞれ共通部品として使用することができる。
【００１７】
また、各刃体１９〜２２が収納位置に配置された状態から、所望の1つの刃体１９〜２２を使用する場合には、その刃体１９〜２２を弾性部材２４の弾性力に抗して使用位置に回動させる。すると、背金２３の係合凸部２７が刃体１９〜２２の係止凹部２６に係合して、その刃体１９〜２２が使用位置にロックされる。よって、この状態で刃体１９〜２２を使用したとき、その刃体１９〜２２が使用位置から無闇に回動されるのを抑制することができる。
【００１８】
さて、この実施形態の狩猟用ナイフにおいては、複数の刃体１９〜２２と対応する各背金２３及び各弾性部材２４が、それぞれ同一形状で同一厚さとなるように形成されている。また、一対の側板１２と複数の仕切板１４とが同一形状で同一厚さとなるように形成されている。さらに、複数のスペーサ１３も同一形状で同一厚さとなるように形成されている。そのため、各背金２３、各弾性部材２４、各側板１２と各仕切板１４、及び各スペーサ１３を、それぞれ共通部品として使用することができる。よって、ナイフの部品の種類を少なくして工程管理を簡略化することができて、製造コストを低減することができる。
【００１９】
また、このナイフの組み付け時には、複数の刃体１９〜２２を同一形状の背金２３及び弾性部材２４とともに、その弾性力を調整しながら順に組み付けることができる。よって、各背金及び各弾性部材の長さが異なる従来構成の場合とは異なって、その組み付け作業を容易に行うことができる。
【００２０】
以上に述べたこの実施形態の効果は以下の通りである。
・  使用位置に配置された刃体１９と対応する背金２３のみの操作部２９が、側板１２及び仕切板１４の上端縁の操作用凹所２８から外方に突出するため、背金２３の操作部２９を、容易に押圧操作して、ロック状態から解除させることができる。
【００２１】
・  複数の刃体１９〜２２と対応する各背金２３及び各弾性部材２４が、それぞれ同一形状で同一厚さとなるように形成されている。そのため、それらを共通部品として使用することができ、製造コストを低減することができる。
【００２２】
・  また、一対の側板１２と複数の仕切板１４とが同一形状で同一厚さとなるように形成されている。そのため、それらを共通部品として使用することができ、製造コストを低減することができる。
【００２３】
・  複数のスペーサ１３も同一形状で同一厚さとなるように形成されている。そのため、それらを共通部品として使用することができ、製造コストを低減することができる。
・  ナイフの組み付け時には、複数の刃体１９〜２２を同一形状の背金２３及び弾性部材２４とともに、その弾性力を調整しながら順に、かつ容易に組み付けることができる。
（変更例）
なお、この実施形態は、次のように変更して具体化することも可能である。
【００２４】
・  前記実施形態において、側板１２及び仕切板１４上の操作用凹所２８を省略し、側板１２及び仕切板１４の上端縁から背金２３の操作部２９が突出するように構成すること。
【００２５】
・  前記実施形態において、仕切板１４を側板１２と異なった形状に形成すること。つまり、仕切板１４を側板１２よりも小さな形状にすること。
・  側板１２の操作用凹所２８を省略すること。従って、操作用凹所２８は、仕切板１４のみに形成される。
【００２６】
（他の技術的思想）
前記実施形態から把握することができるが、請求項に記載されない技術的思想は以下のとおりである。
【００２７】
（１）  前記両側板間には側板と同一形状の複数の仕切板を所定間隔おきに配設し、隣接する側板と仕切板との間及び一対の仕切板間に前記各刃体を配設したことを特徴とする請求項１〜請求項３のうちのいずれか一項に記載のナイフ。
【００２８】
このように構成すれば、複数の仕切板を側板と共通部品として使用することができる。よって、構造をより簡略化することができて、製造コストを低減することができる。
（２）  前記背金の操作部と対応して、側板及び仕切板に凹所を形成したことを特徴とする請求項２または前記（１）項に記載のナイフ。
【図面の簡単な説明】
【００２９】
【図１】一実施形態のナイフを示す正面図。
【図２】図１のナイフの平面図。
【図３】図２の３−３線における部分断面図。
【図４】図２の４−４線における断面図。
【図５】図２の５−５線における断面図。
【図６】図２の６−６線における断面図。
【符号の説明】
【００３０】
１１…柄、１２…側板、１４…仕切板、１５…支持軸、１９，２０，２１，２２…刃体、２３…背金、２４…弾性部材、２５…圧接面、２６…係止凹部、２７…係合凸部、２９…操作部。
【図１】
2006042918.tif 000003
【図２】
2006042918.tif 000004
【図３】
2006042918.tif 000005
【図４】
2006042918.tif 000006
【図５】
2006042918.tif 000007
【図６】
2006042918.tif 000008